(57)【特許請求の範囲】
【請求項１】
電源供給が行われると内部で磁束が発生し、電源供給の停止が行われると、前記磁束が消失する第１の電気機器の近傍に配置され、第１の電気機器と共に使用される第２の電気機器に取り付けられる電源開閉装置であって、
第１の電気機器における磁束変化を検出する磁束検出手段と、
前記磁束検出手段が磁束変化を検出したとき、第２の電気機器への電源供給状態を変化させる電源スイッチとを、
有し、前記磁束検出手段は、
前記第１の機器への電源供給による磁束変化と、前記第１の機器への電源供給停止による磁束変化とに基づいて、異なる極性の電圧が誘起されるコイルと、
該コイルに誘起された電圧の極性が前記電源供給を表すとき出力を生じる第１の比較器と、
前記コイルに誘起された電圧の極性が前記電源供給停止を表すとき出力を生じる第２の比較器と、
第１及び第２の比較器の出力が供給され、第１の比較器の出力が供給されたとき、前記電源スイッチをオンし、第２の比較器の出力が供給されたとき、前記電源スイッチをオフする切換手段とを、
具備する電源開閉装置。
【請求項２】
請求項１記載の電源開閉装置において、第１の電気機器がＣＲＴを備える機器であって、該機器への電源供給または停止に基づいて前記磁束変化が生じる電源開閉装置。
【発明の詳細な説明】
【０００１】
【発明の属する技術分野】
本発明は、電気機器への電源供給及び停止を制御する電源開閉装置に関し、特に他の電気機器への電源供給及び停止に関連して、電源供給及び停止を制御するものに関する。
【０００２】
【従来の技術】
従来、複数の電気機器が関連して使用されるものとして、例えば図２に示すように、テレビジョン受像機２と、増幅器内蔵室内アンテナ４とがある。増幅器内蔵室内アンテナ４は、アンテナ６によって受信されたテレビジョン放送信号を増幅器８によって増幅し、この増幅器８の出力をフィルタ１０及び出力端子１２を介してテレビジョン受像機２に供給するものである。テレビジョン受像機２は、商用交流電圧を整流及び平滑した直流電圧によって駆動され、この直流電圧の供給及び停止を図示していない電源スイッチの開閉によって行う。また、増幅器内蔵室内アンテナ４は、商用交流電圧を整流及び平滑するアダプターまたはバッテリーからの直流電圧によって駆動され、この直流電圧の供給及び停止は、電源オン／オフ回路１４のオンまたはオフによって行われる。
【０００３】
【発明が解決しようとする課題】
このようなテレビジョン受像機２と増幅器内蔵室内アンテナ４とでは、それぞれへの電源供給が互いに無関係に行われている。従って、テレビジョン受像機２によってテレビ放送を視聴する場合には、テレビジョン受像機２の電源スイッチを閉じると共に、増幅器内蔵室内アンテナ４の電源オン／オフ回路１４を操作しなければならず、その操作が面倒であった。このような２つの操作が面倒であるので、増幅器内蔵室内アンテナ４がアダプターによって電圧供給を受けるものの場合、増幅器内蔵室内アンテナ４への電源供給を行ったままとすることが多く、無駄な電力消費が多くなっていた。
【０００４】
本発明は、１つの電気機器への電源の供給または停止に応じて他の電気機器への電源供給または停止を行えるようにして、操作性の向上と省電力化を図った電源開閉装置を提供することを目的とする。
【０００５】
【課題を解決するための手段】
上記の目的を達成するために、本発明の電源開閉装置は、電源供給が行われると内部で磁束が発生し、電源供給の停止が行われると、前記磁束が消失する第１の電気機器の近傍に配置され、第１の電気機器と共に使用される第２の電気機器に取り付けられる電源開閉装置であって、第１の電気機器における磁束変化を検出する磁束検出手段と、前記磁束検出手段が磁束変化を検出したとき、第２の電気機器への電源供給状態を変化させる電源スイッチとを、有している。前記磁束検出手段は、前記磁束検出手段は、前記第１の機器への電源供給による磁束変化と、前記第１の機器への電源供給停止による磁束変化とに基づいて、異なる極性の電圧が誘起されるコイルと、該コイルに誘起された電圧の極性が前記電源供給を表すとき出力を生じる第１の比較器と、前記コイルに誘起された電圧の極性が前記電源供給停止を表すとき出力を生じる第２の比較器と、第１及び第２の比較器の出力が供給され、第１の比較器の出力が供給されたとき、前記電源スイッチをオンし、第２の比較器の出力が供給されたとき、前記電源スイッチをオフする切換手段とを、具備するものである。
【０００６】
この電源開閉装置では、第１の電気機器への電源の供給が行われると、第１の電気機器内において磁束が発生する。この磁束の発生が磁束検出手段によって検出され、電源スイッチが第２の電気機器に電源の供給または停止を行う。第１の電気機器への電源の供給の停止が行われると、今まで発生していた磁束が消失する。この磁束の消失が磁束検出回路によって検出され、電源スイッチが第２の電気機器に電源の停止または供給を行う。複数の電気機器の電源供給及び停止を連動させることは今までにも行われている。しかし、そのためには、複数の電気機器間の配線が必要である。本発明によれば、第１及び第２の電気機器の電源供給及び停止が連動しているが、磁束検出手段を使用しているので、第１及び第２の電気機器間になんら配線が不要である。
【０００７】
第１の電気機器としては、ＣＲＴを有する機器を使用することができる。該機器への電源供給または停止に基づいて前記磁束変化が生じる。一般にＣＲＴには偏向コイルが設けられているので、この偏向コイルが、電源の供給によって磁束の非発生状態から大きな磁束を発生し、大きく発生していた磁束が電源供給の停止によって消失する。即ち、電源の供給及び停止によって、大きな磁束変化を生じるので、検知が容易に行える。
【００１０】
【発明の実施の形態】
本発明の１実施の形態の電源切換装置は、第２の電気機器、例えば増幅器内蔵室内アンテナ２０に設けられている。この増幅器内蔵室内アンテナ２０と共に使用される第１の電気機器、例えばテレビジョン受像機２２の近傍に、増幅器内蔵室内アンテナ２０は、配置されている。テレビジョン受像機２２は、ＣＲＴを有しており、テレビジョン受像機２２に電源が供給されたときに、ＣＲＴの偏向コイルが大きな磁束を発生する。テレビジョン受像機２２への電源の供給が停止されたときに、今までＣＲＴの偏向コイルが発生していた大きな磁束が消失する。即ち、磁束変化が大きい。
【００１１】
増幅器内蔵室内アンテナ２０は、上述した従来のものと同様に、室内アンテナ２４と増幅器２６とフィルタ２８と出力端子３０とを有している。室内アンテナ２４によって受信された例えばＵＨＦ及びＶＨＦのテレビジョン放送信号のうち少なくとも一方または双方が、増幅器２６によって増幅され、この増幅器２６の出力信号のうち不要な成分がフィルタ２８によって除去され、出力端子３０を介してテレビジョン受像機２２のアンテナ入力端子（図示せず）に供給される。
【００１２】
この増幅器内蔵室内アンテナ２０は、磁束検知回路３２を有している。この磁束検知回路３２は、受動素子、例えば図示しないプリント基板上にエッチング等によって形成されたパターンコイルである。この磁束検知回路３２は、上述したようにテレビジョン受像機２２の近傍に配置されているので、磁束検知回路３２が、上記ＣＲＴの偏向コイルの磁束の発生または消失に応動して、電圧を発生する。発生する電圧は、例えば磁束の発生時には正の電圧であり、磁束の消失時には負の電圧である。
【００１３】
この電圧は、磁束有無判定ＯＮ／ＯＦＦ回路３４に供給される。磁束有無判定ＯＮ／ＯＦＦ回路３４は、比較器３６を有し、この比較器３６は、磁束検知回路３２から供給された電圧と、基準電圧発生回路３８から供給された基準電圧、例えば正の基準電圧とを比較する。この正の基準電圧は、テレビジョン受像機２２に電源供給されたことによりＣＲＴの偏向コイルが発生した磁束を、磁束検知回路３２が検知したときに、この磁束検知回路３２が発生する電圧よりも低い電圧に設定されている。比較器３６は、磁束検知回路３２からの電圧が、正の基準電圧よりも高いとき、例えばＨレベルの出力信号を発生する。
【００１４】
磁束有無判定ＯＮ／ＯＦＦ回路３４は、さらに比較器４０を有し、この比較器４０も、磁束検知回路３２からの電圧と基準電圧発生回路４２からの基準電圧、例えば負の基準電圧とを比較する。この負の基準電圧は、テレビジョン受像機２２への電圧供給が停止されたときの磁束の消失に応じて、磁束検知回路３２が発生する負の電圧よりも値が大きく設定されている。比較器４０は、磁束検知回路３２からの電圧が負の基準電圧よりも低いときに、例えばＨレベルの出力信号を発生する。なお、正及び負の基準電圧をまとめて、１つの値、例えば０Ｖを使用してもよい。
【００１５】
比較器３６及び４０の出力信号は、切換手段、例えばＲ−Ｓフリップフロップ回路４４のセット端子Ｓ、リセット端子Ｒにそれぞれ供給される。比較器３６の出力信号がセット端子Ｓに供給されたとき、このＲ−Ｓフリップフロップ回路４４のＱ出力端子はＨレベルとなる。また、比較器４０の出力信号がリセット端子Ｒに供給されたとき、Ｑ端子はＬレベルとなる。
【００１６】
Ｒ−Ｓフリップフロップ回路４４のＱ端子は、電源スイッチ、例えばバイポーラトランジスタまたはＦＥＴのような半導体スイッチング素子４６の制御端子に接続されている。この半導体スイッチング素子４６の導電路は、例えば商用交流電圧を整流及び平滑して得た直流電圧が発生している電源端子４８と増幅器２６の電源供給端子５０との間に接続されており、制御端子にＨレベルの信号が供給されている期間、閉成されるものである。従って、比較器３６が出力信号を発生し、Ｒ−Ｓフリップフロップ回路４４のＱ端子がＨレベルとなり、比較器４０が出力信号を発生し、Ｒ−Ｓフリップフロップ回路４４のＱ端子がＬレベルになるまでの期間、閉成されている。
【００１７】
従って、電源スイッチ（図示せず）を操作して、テレビジョン受像機２２への電源供給が行われると、これによってＣＲＴの偏向コイルが磁束を発生し、この磁束の発生を磁束検知回路３２が検知し、比較器３６が出力を発生し、Ｒ−Ｓフリップフロップ回路４４のＱ端子がＨレベルの出力を発生し、半導体スイッチング素子４６が閉成され、増幅器２６に直流電圧が供給され、増幅器２６が動作する。
【００１８】
テレビジョン受像機２２での視聴を中止するため、テレビジョン受像機２２への直流電圧の供給を電源スイッチの操作によって停止すると、ＣＲＴの偏向コイルが発生していた磁束が消失する。この磁束の消失を磁束検知回路３２が検知し、比較器４０が出力信号を発生し、Ｒ−Ｓフリップフロップ回路４４のＱ端子がＬレベルとなり、半導体スイッチング素子４６が開放され、増幅器２６への直流電圧の供給が停止され、増幅器２６が作動を中止する。
【００１９】
即ち、テレビジョン受像機２２への電源供給に連動して、増幅器内蔵室内アンテナ２０が動作を開始し、テレビジョン受像機２２への電源供給の停止に連動して、増幅器内蔵室内アンテナ２０が動作を停止する。増幅器内蔵室内アンテナ２０の動作の開始及び停止には、増幅器内蔵室内アンテナ２０側では、なんらスイッチ操作は不要である。しかも、テレビジョン受像機２２が発生する磁束を検出することによって、増幅器内蔵室内アンテナ２０の電源の供給及び停止を制御しているので、テレビジョン受像機２２と増幅器内蔵室内アンテナ２０との間には、なんら特別な配線は不要であり、また連動させるためにテレビジョン受像機２２の回路を、変更する必要もない。
【００２０】
磁束検知回路３２は、上述したようにパターンコイルであるので、電力を消費することはない。磁束有無判定ＯＮ／ＯＦＦ回路３４には、半導体スイッチング素子４６を開閉させるために常に電力を供給しなければならないが、増幅器２６に常に電力を供給する場合と比較して、格段に少ない消費電力となる。また、磁束有無判定ＯＮ／ＯＦＦ回路３４においても、電力を消費するのは、比較器３６、４０とＲ−Ｓフリップフロップ回路４４のみであり、非常に少ない電力のみが消費され、省電力化を図ることができる。磁束検知回路３２と比較器３６、４０とＲ−Ｓフリップフロップ回路４４が磁束検知手段を構成している。
【００２１】
増幅器内蔵室内アンテナ２０には、マニュアルＯＮ／ＯＦＦ回路５２が設けられている。マニュアルＯＮ／ＯＦＦ回路５２は、例えば図示しない電源スイッチを有し、この電源スイッチが閉成されたとき、Ｒ−Ｓフリップフロップ回路４４のＳ端子にＨレベルの出力信号を供給し、電源スイッチが開放されたとき、Ｒ−Ｓフリップフロップ回路４４のＲ端子にＨレベルの出力信号を供給するように構成されている。従って、マニュアルＯＮ／ＯＦＦ回路５２の電源スイッチを操作することによっても、増幅器２６への電圧の供給の開始及び停止をそれぞれ行うことができる。
【００２２】
また、磁束有無判定ＯＮ／ＯＦＦ回路３４は、複数、例えば２個のＬＥＤを備えた表示回路５４も有している。そして、テレビジョン受像機２２への電源の供給の開始及び停止に連動して、増幅器内蔵室内アンテナ２０の動作の開始及び停止を行うモードでは、表示回路５４は、１個のＬＥＤを点灯する。また、マニュアルＯＮ／ＯＦＦ回路５２の電源スイッチの操作によって、増幅器内蔵室内アンテナ２０の動作の開始及び停止を行うモードでは、表示回路５４は２個のＬＥＤを点灯する。これらＬＥＤの点灯個数の相違に基づいて、どちらのモードで増幅器内蔵室内アンテナ２０が動作しているかを表示できる。
【００２３】
上記の実施の形態の電源開閉装置は、テレビジョン受像機と共に使用される増幅器内蔵室内アンテナに設けられたが、屋内用ブースタ、ＣＡＴＶ用宅内補償ブースタ、アクティブＡＶセレクタ、ＲＦ切換器、ＶＴＲ用ブースタ、家庭用ゲーム機器等のようなテレビジョン受像機と共に使用される電気機器に使用することもできる。或いは、パーソナルコンピュータのＣＲＴ型モニターと、プリンターとにおいて、プリンターにこの電源開閉装置を設けることもできる。また、テレビジョン受像機と共に使用する機器に限らず、電源が供給されたとき、外部に磁束を幾分でも漏洩させる電気機器と、この機器の近傍に配置されて共に使用される電気機器との組み合わせ、例えばステレオメインアンプと、チューナまたはＣＤプレーヤーまたはＭＤプレーヤーとの組合わせに使用することもできる。この場合、この電源開閉装置は、いずれの機器に設けてもよい。また、この電源開閉装置を設けた機器を複数台設けることもできる。
【００２４】
また、上記の実施の形態の電源開閉装置では、電源スイッチとして半導体スイッチング素子を使用したが、リレー回路を使用することもできる。また、電源端子４８には、バッテリーを接続し、これを電源として使用してもよい。
【００２５】
【発明の効果】
以上のように、本発明によれば、第１の電気機器への電源の供給によって発生した磁束を、磁束検知手段が検知したとき、電源スイッチが第２の電気機器への電源の供給状態を制御するので、一々第２の電気機器への電源供給の制御を手動で行う必要がない。また、第２の電気機器に常に電力を供給する必要がないので、省電力化を図ることができる。しかも、第２の電気機器への電源供給状態を制御するために、第１及び第２の電気機器間に配線をする必要がない。また、第１の電気機器がＣＲＴを備えるものであると、磁束変化が大きく、磁束検知手段での磁束の検知が容易に行える。また、磁束検知手段が、電力を消費しないコイルと、該コイルに誘起された電圧及び基準電圧を比較する比較手段とを有するものであるので、第２の電気機器への電力の供給を制御するために、常に電力の供給を受ける必要のあるのは比較手段のみとなり、省電力化を図ることができる。
【図面の簡単な説明】
【図１】本発明による電源開閉装置を備えたテレビジョン受像機と増幅器内蔵室内アンテナとのブロック図である。
【図２】従来のテレビジョン受像機と増幅器内蔵室内アンテナとのブロック図である。
【符号の説明】
２０  増幅器内蔵室内アンテナ（第２の電気機器）
２２  テレビジョン受像機（第１の電気機器）
３２  磁束検知回路（磁束検知手段）
３６  ４０  比較器（磁束検知手段）
４６  半導体スイッチング素子（電源スイッチ）
【図１】
0004347444.tif 000002
【図２】
0004347444.tif 000003